(57)【要約】  本発明は、断熱エネルギの変化を利用する装置のための、大きな加速度又は減速が作用する構成部品を組み立てるための装置に関する。本発明は、構成部品の組立体が強打効果に起因する機械的振動を吸収可能な螺旋状のドエルを利用するためにパンチを取り付けるために適合されている。
2009505840.tif 000002
【特許請求の範囲】
【請求項１】
断熱エネルギの変換を利用する装置のための大きな加速度又は減速度が作用する構成部品を組み立てるための装置であって、
前記構成部品から成る前記装置は、衝撃効果の際に機械的な振動を吸収するためにバネピン３の形態をした手段を含んでいることを特徴とする請求項１に記載の装置。
【請求項２】
前記装置は、パンチを取り付けるために適用され、
前記パンチそれぞれが、金属製インサートを構成する１つ以上のモジュールを受容するように配置され、
前記１つ以上のモジュールは、必要に応じて交換可能であり、
前記モジュールそれぞれが、パンチ本体から取り外し可能であり、
前記１つ以上のモジュールの重量に従って、手段を受容する１つ以上の穴は、前記１つ以上のモジュールと前記モジュールを保持するパンチ本体との間で傾斜した状態で配置され、一様に分布され、
前記手段は、前記穴の長さに沿って載置されたバネピンの形態をして設けられ、リンク機能を発揮することを特徴とする請求項１に記載の装置。
【請求項３】
サポートをガイドコラムと組み合わせたガイドブッシュを利用するように適合され、
前記手段が、位置保持機能を発揮するバネピンの形態をして設けられていることを特徴とする請求項１に記載の装置。
【請求項４】
パンチを取り付けるために、
前記装置が、金属製インサートを構成する１つ以上のモジュール２を受容するために配置され、
前記１つ以上のモジュールが、パンチ本体から取り外し可能とされ、
１つ以上の前記金属製インサートの重量に従って、バネピン３の形態をしたリンク手段を受容する１つ以上の穴（１ｃ，２ｃ）は、１つ以上の前記モジュール２と前記モジュールを保持するパンチ本体との間で傾斜した状態で載置され、一様に分布されていることを特徴とする請求項２に記載の装置。
【請求項５】
ダイと前記インサートとの間に傾斜した状態で設けられた前記穴の組は、正方格子状に位置決めされていることを特徴とする請求項４に記載の装置。
【請求項６】
ダイと前記インサートとの間に傾斜した状態で設けられた前記穴の組は、並行且つ同一平面内に位置決めされていることを特徴とする請求項４に記載の装置。
【請求項７】
ダイと前記インサートとの間に傾斜した状態で設けられた前記穴の組は、対で位置決めされていることを特徴とする請求項４に記載の装置。
【請求項８】
前記サポート４に設けられたハウジング内部の中心に配置されたガイドブッシュ６を含み、ガイドコラム５の挿入及び案内を可能とする組立体を備え、
バネピン３は、保持力が作用している間において前記ガイドブッシュに対する障壁として取り付けられていることを特徴とする請求項３に記載の装置。
【発明の詳細な説明】
【技術分野】
【０００１】
本発明は、断熱エネルギを変換するための装置に関する。これら装置は、必要に応じた剛性並びに断熱エネルギを利用した切断及び／又は成型をする工具を有している動作部品を備えたパンチを利用する。
【背景技術】
【０００２】
従来技術では、パンチを適用する場合において、前記パンチの取付及び取り外しの利用条件は非常に困難であり、関連する利用分野における負荷に関しては未だに明確ではないので、パンチは動作負荷に耐え得るために一体構造体であることを要する。
【発明の開示】
【発明が解決しようとする課題】
【０００３】
出願人は、断熱エネルギの変換によって発生する衝撃力が非常に大きな機械的負荷を発生させることを考慮して、この組立体を単純な構造とするために研究してきた。このような条件の下で、提案する解決方法は、これらストレスを考慮した上でパンチ組立体が非常に大きな信頼性を有し、完全な安全性を確実に提供することを目的とする。
【０００４】
本発明は、様々な要求を満たしている。
【０００５】
出願人が提供する解決策は簡便且つ即実施可能なものである。しかしながら、この解決策は、断熱エネルギの変換の際に大きな加速度及び減速度が作用する他の構成部品から成る組立体に適用可能である。
【課題を解決するための手段】
【０００６】
本発明では、断熱エネルギの変換を利用した装置に大きな加速度又は減速度を作用させる構成部品を組み立てるための装置は、その構成部品から成る組立体が強打効果（hammer effects）の際の機械的な振動を吸収するためにバネピンの形態をした手段を含んでいることを特徴とする。
【０００７】
本発明では、構成部品から成る組立体の装置は、パンチの取り付けに利用可能である。各パンチが金属製のインサートを構成する１つ以上のモジュールを受容するように配置されており、各モジュールがパンチ本体から取り外し可能であって、１つ以上のモジュールを受容する手段が１つ以上のインサートの重量に従って１つ以上のモジュールとモジュールを保持するパンチ本体との間に傾斜した状態で保持され、一様に配置されており、バネピンの形態で設けられた手段が深さ方向に沿って位置決めされリンク機能を発揮するので、１つ以上のモジュールは必要に応じて交換可能である。
【０００８】
本発明では、構成部品の組立体から成る装置は、特にサポートに関してガイドコラムと組み合わせたガイドブッシュを利用することによって他の用途に利用することもでき、例えばバネピンの形態をした前記手段は位置保持機能を発揮することができる。
【０００９】
これらの特徴及び他の特徴は、本明細書の以下の部分を読むことによって明らかとなる。
【００１０】
図面は、本発明の主要な構成を規定するが、限定的に解釈してはならない。
【発明を実施するための最良の形態】
【００１１】
より具体的に本発明の主要な構成を規定するために、本発明の主要な構成は添付図面によって非限定的に説明される。
【００１２】
本発明における装置は、断熱エネルギの変換を利用する装置のために大きな加速度及び減速度を発生する構成部品から成る組立体に適用される。装置は、衝撃的な負荷が作用する際の機械的な振動を吸収するためにバネピンの形態をした手段３を備えている。
【００１３】
本発明の装置はパンチに適用される。このために、パンチ本体１は、断熱エネルギの変換を利用し非常に高速で動作する装置での利用に適している。
【００１４】
パンチ本体は、衝撃領域の側部で、必要に応じて剛性を変更可能な金属製インサートを構成する１つ以上のモジュール２を受容するための凹所１ａに受容するように配置されている。１つ以上のインサートは、受容する凹所１ａ内の中心に配置されたベース２ａと前記凹所から突出している衝撃ヘッド２ｂとを有している。
【００１５】
本発明では、パンチ及びモジュールが同様且つ適合するように配置されている。全体的に最良の強度を達成するために、正方格子状に配置された状態でリンク機能を発揮する手段３は、例えば実質的にオフセットされた平面内で、一連の穴が組、特に穴１ｃ，２ｃの組が穴を傾斜しつつ貫通している。リンク手段は、穴の受容長さに沿って配置されたバネピン３ａの実際的な組である。バネピンの断面は、必要、及び衝撃操作によって生じる負荷に応じて変化させることができる。バネピンの位置に従って、バネピンは相違する断面を有している。
【００１６】
バネピンの数は、一般に偶数であって、必要に応じて２本，４本，６本、又はそれ以上であって良い。
【００１７】
モジュールを形成するインサートは、リンク領域と固定領域とに分配された状態で当該位置で堅固に保持されている。インサートを交換するためには、バネピンを取り外さなければならない。この作業は、ピンドライバー又は類する工具を利用することによって定型的に実施することができる。
【００１８】
本発明の一の利点は、元々変形可能であり、負荷によって発生する力を吸収するように機能するバネピンを選定することができることである。従って、特に断熱エネルギを利用する装置の場合には、衝撃力が作用している際に発生する機械的振動はバネピンによって完全に吸収される。
【００１９】
挿入式モジュールに対するリンク手段を損傷させる恐れがなく、継続的且つ確実に性能を発揮させることができる。
【００２０】
図１は、正方格子状の囲みを表わす。例えば円筒状とされるインサートの構成では、２つの組のピンによって形成される囲みが、並行且つ同一平面内で利用される。実際に、関連出願では、囲みは、ダイとパンチとの間に載置されたピンから成る組の数に従って相違する構成を有している。
【００２１】
解決策は、簡便で実践的に実行可能である。
【００２２】
本発明は、断熱エネルギを利用した抜き取り及び/又は成形をする工具に適用する。
【００２３】
図４を参照すると、装置は、再度機械加工することができない、又はすべきでない構成部品の場合にピン３を挿入するために利用される。
【００２４】
この場合には、サポート内の所定位置にインサートの構成部品を保持するために、ピン３は力を発生させることによって障壁として取り付けられている。従って、参照符号４はサポートを示し、参照符号５はガイドコラムを示し、参照符号６はガイドブッシュを示している。ガイドブッシュは、サポート４に設けられた凹所を形成するために肩部４ａの底部の中心に設けられている。バネピンは、ガイドブッシュを凹所内に固定するために、不要な間隙（negative clearance）を有して取り付けられている。
【００２５】
本出願では、装置は他の機能、ブッシュが断熱エネルギの変換に起因する振動的なストレスを吸収することを維持するという機能を発揮させる。
【図面の簡単な説明】
【００２６】
【図１】バネピンを受容するモジュールのサポートパンチの平面図であって、本発明装置の第１の適用例を表わす。
【図２】図１のＪ−Ｊ断面における側面断面図である。
【図３】図１のＨ−Ｈ断面における断面図である。
【図４】本発明を採用した他の図であって、ガイドブッシュ及びガイドコラムを表わす。
【符号の説明】
【００２７】
１  パンチ本体
１ａ  凹所
１ｃ  穴
２  モジュール
２ａ  ベース
２ｂ  衝撃ヘッド
２ｃ  穴
３  手段（ピン）
３ａ  バネピン
４  サポート
４ａ  肩部
５  ガイドコラム
６  ガイドブッシュ
【図１】
2009505840.tif 000003
【図２】
2009505840.tif 000004
【図３】
2009505840.tif 000005
【図４】
2009505840.tif 000006
【国際調査報告】
2009505840.tif 000007
2009505840.tif 000008
2009505840.tif 000009
2009505840.tif 000010